(57)【要約】      （修正有）【課題】取付強度を確保しつつ着脱時の作業性が向上し、しかも使用中に破損する確率が低下する陳列商品表示用カードケースを提供する。【解決手段】表示板部２の背面側に突設された係止部３を備え、係止部３に、前記垂直部に摺動及び回動可能に係合する係合部７と、該表示板部２の背方向側が開口してなる開口部１３とを設けてなる構成とする。【選択図】図１
2016000167.tif 000002
【特許請求の範囲】
【請求項１】
商品名や価格等が表示されたカードを保持する表示板部と、該表示板部の背面側に突設された係止部とを備え、垂直部と水平部とに折り曲げられた棒状体からなるフックバ―の折曲部に前記係止部を介して着脱自在に取り付けられる陳列商品表示用カードケースにおいて、前記係止部に、前記垂直部に摺動及び回動可能に係合する係合部と、該表示板部の背方向側が開口してなる開口部とを設けたことを特徴とする陳列商品表示用カードケース。
【請求項２】
前記開口部の開口端部にガイド片部を設けたことを特徴とする請求項１記載の陳列商品表示用カードケース。
【請求項３】
前記係合部と前記ガイド片部との間に、内方に突出する膨出部を設けたことを特徴とする請求項２記載の陳列商品表示用カードケース。
【請求項４】
前記係止部の下方向に離間した位置に、水平方向に放射状に延びる複数の係止溝を備えた台座部を設けてなることを特徴とする請求項１乃至３のいずれかに記載の陳列商品表示用カードケース。
【発明の詳細な説明】
【技術分野】
【０００１】
本発明は、商品陳列用のフックバ―に取り付けられ、商品名や価格等が表示されたカードを保持する陳列商品表示用カードケースに関します。
【背景技術】
【０００２】
従来、店内における売り場面積の有効利用を図るため、商品を上下方向に複数列に陳列する際、例えば図７に示すような、互に平行して延出する表示用フックバ―１７と、吊り下げ用フックバ―１８とを備えたフックバ―５が多用されています。前記吊り下げ用フックバ―１８は複数の商品１９を吊り下げるためのものであり、表示用フックバ―１７は、その先端部に商品名や価格等が表示された表示カードを保持するカードケース１を取り付けるためのものです。
【０００３】
一方、かかるカードケース１としては、例えば図８に示したものが知られています。かかるカードケース１は、その正面側にて前記表示カードを保持する表示板部２と、表示板部２の背面に突設された係止部３とを有しています。係止部３の基端部には断面略Ｕ字型の切り開き溝２０が、平面視で表示板部２の長手方向の一方側に沿った横向き方向に開口しており、係止部３は全体として横方向開口状となっています。さらに、前記係止部３の下方に離間した位置に放射状に複数の係止溝１１を設けた台座部９を設けています。
【０００４】
そして、かかるカードケース１にあっては、表示用フックバ―１７の先端で上方に向かい折曲された垂直部６を、前記切り開き溝に横方向から挿入させつつ、該フックバ―１７を水平に回動し、該フックバ―１７の水平部１２の上方側に当接する前記係止部３と、該水平部１２の下方側に当接する前記台座部９の係止溝１１とで上下方向から挟持し、該フックバ―１７に取り付けられた状態における姿勢の取付強度を確保して保持する構造のものでした。また、逆の手順によって取り外しが可能となるものでした。
【０００５】
【特許文献１】特開平１１−２０６５２４
【発明の開示】
【発明が解決しようとする課題】
【０００６】
しかしながら、かかる従来のカードケース１においては、使用時における取付強度を確保し、そして保持するため、一旦前記フックバ―の垂直部６を、前記係止部３の切り開き溝に横方向に沿って挿入し、その挿入を確認した後、水平に回動してなる為、作業工程が２工程になり、着脱する際の作業性が悪くなるという不都合が生じるものでありました。換言しますと、取付作業時には、前記係止部３に前記フックバ―の垂直部６を挿入する際、作業者は前記係止部３の横向き方向に開口した切り開き溝の位置を確認しながら、横向き方向上方から垂直部６を強く押しつけながら挿入します。そして、嵌合したことを確認した後、前記フックバ―５を水平に回動しなければなりませんでした。また取外し作業時においては、前記フックバ―５を水平に回動し、回動位置が前記切り開き溝２０の位置にあることを確認してから、垂直部６を横向き方向上方に引き上げなければなりませんでした。
【０００７】
また、前記カードケース１は、表示用フックバ―１７に取り付けられているとき、前記水平部１２を軸とする上方向への回動を規制されているため、使用中に表示板部２に比較的強い外力が加わった場合には、その力をそのまま受けることにより破損する可能性も大きいものでした
【０００８】
本発明はかかる実情に鑑みなされたものであり、フックバ―への取付強度を確保しつつ着脱時の作業性が向上し、しかも使用中に破損する確率が低下する陳列商品表示用カードケースを提供することを目的とするものです。
【課題を解決するための手段】
【０００９】
前記課題を解決するため請求項1記載の発明にあっては、商品名や価格等が表示されたカードを保持する表示板部と、該表示板部の背面側に突設された係止部とを備え、垂直部と水平部とに折り曲げられた棒状体からなるフックバ―の折曲部に前記係止部を介して着脱自在に取り付けられる陳列商品表示用カードケースにおいて、前記係止部に、前記垂直部に摺動及び回動可能に係合する係合部と、該表示板部の背方向側が開口してなる開口部とを設けたことを特徴とするものです
【００１０】
請求項2記載の発明にあっては、前記開口部の開口端部にガイド片部を設けたことを特徴とするものです。
【００１１】
請求項3記載の発明にあっては、前記係合部と前記ガイド片部との間に、内方に突出する膨出部を設けたことを特徴とするものです。
【００１２】
請求項4記載の発明にあっては、前記係止部の下方向に離間した位置に、水平方向に放射状に延びる複数の係止溝を備えた台座部を設けてなることを特徴とするものです。
【発明の効果】
【００１３】
本発明によれば、前記係止部において、前記垂直部に摺動及び回動可能に係合する係合部と、該表示板部の背方向側が開口してなる開口部とを設けているので、開口方向を余り気にすることなく、フックバ―の垂直部を該開口部に直接挿入させ、かつ離脱させることができ、着脱時の作業性を向上させることができます。
【００１４】
また、垂直部の係合力を高める為、フックバ―への取付強度を前記係合部と前記ガイド片部との間に、内方に突出する膨出部を設けた場合であっても、該ガイド片部を設けている為、フックバ―への取付強度を低下させることなく、それを充分に確保しつつ着脱時の作業性を向上させることができます。
【００１５】
しかも、フックバ―に取り付けられた状態にあるとき、垂直部を軸としたフック部の離脱方向への表示板部を回動させるような比較的強い外力が加わった場合においては、回動することにより入力した力を開口部より逃すことができるので、使用中に破損する確率を低下させることができます。
【００１６】
これに加え、複数の係止溝を設けた台座部を前記係止部の下方向に離間した位置に設けているので、水平回動させたフックバ―の水平部が該係止溝の選択した位置に保持され、位置ずれが確実に防止されます。
【図面の簡単な説明】
【００１７】
【図１】カードケースを後方から見た斜視図。
【図２】カードケースの正面図。
【図３】フックバ―の後方から見た斜視図。
【図４】カードケースの背面図。
【図５】使用状態を示す図。
【図６】使用状態を示す図。
【図７】従来技術を示す図。
【図８】従来技術を後方から見た斜視図。
【図９】カードケースの側面図。
【図１０】カードケースの平面図。
【符号の説明】
【００１８】
１  カードケース
２  表示板部
３  係止部
４  薄板
５  フックバー
７  係合部
８  ガイド片部
９  台座部
１０  余裕空間
１１  係止溝
１２  フックバーの水平部
１３  開口部
１４  傾斜面
１５  凹部
１６  凸部
１７  表示用フックバー
１８  吊り下げ用フックバー
１９  商品
２０  切り開き溝
【発明を実施するための最良の形態】
【００１９】
以下、本発明の実施形態を図に従って説明します。
【００２０】
図１乃至図２及び図４乃至図６、図９、図１０は本発明に係わる陳列商品表示用カードケースを示す図であって、このカードケースは図３及び図７、図８に示すように、従来技術で説明したものと同様のフックバ―が有する表示用フックバ―に取り付けられるものです。
【００２１】
図１に示すように該カードケース１は、矩形状の表示板部２と、その背面に突設された係止部３とから構成されています。表示板部２の正面側には透明性を有する薄板４が設けられており、薄板４は左右の両側辺と下端辺とを表示板部２に接着され、上辺側のみを開放状態とされています。そして表示板部２は、前記上辺側から薄板４との間に挿入された商品名や価格等が表示されたカードを保持するようになっています。
【００２２】
前記係止部３は、図１に示すように、表示板部２の背面に連続するとともに、カードケース１の使用時に図３に示す表示用フックバー５の垂直部６に係合する基端側の係合部７と、表示板部２の背方向側が開口してなるその開口先端側に形成されたガイド片部８と、及び図９に示すように前記係止部３の下方向に離間した位置に形成された台座部９から構成されています。
係合部７の口径は表示用フックバ―の垂直部６の外径より僅かに大きく設定されており、これにより外挿されることにより、前記垂直部６に係合した状態において、垂直部６に対する摺動及び回動が可能となっています。
【００２３】
また、前記ガイド片部８は図１に示すように、前記係合部７に連続して形成するとともに、開口縁側を形成する部分を末広状に拡開しており、その開口縁部の開口幅が狭く設定されています。
これにより、フックバー５の使用時におけるフックバ―の垂直部６に対する十分な係合力が確保されます。
【００２４】
前記台座部９は図１に示すように、前記係止部３の下方向に離間した位置に形成されている為、余裕空間１０が形成されております。また、水平方向に放射状に延びる複数の係止溝１１を設けた構成になっております。係止溝１１はやや深底で溝幅がやや狭く設定されている為、フックバ―の水平部１２に選択的に係合して、その姿勢を保持及び変更することができます。
【００２５】
以上の構成からなる陳列商品表示用カードケース１においては、係止部３の係合部７を上方或いはやや上方横方向よりフックバ―の垂直部６に外挿する際、末広状に拡開してなるガイド片８により、ガイドされ、係合部内７に弾性変形を経て係合させることができます。また、その状態で表示板部２を引っ張り上げると、弾性変形により、フックバ―の垂直部６から離脱し、ます。しかる後、カードケース１の取り外しが行えます。
【００２６】
従いまして、フックバ―の垂直部６に対する係合部７の係合力が強くとも、フックバ―５へのカードケース１の着脱作業を容易に行うことができます。よって、フックバ―５への取付強度を低下させることなく、それを充分に確保しつつ着脱時の作業性が従来のものと比べ向上されています。
【００２７】
また、前記係止部３の開口部１３は図４に示すように、該表示板部２の背方向側が開口してなる為、係合部７を該フックバ―の垂直部６へ係合させる際には、その開口方向を確認する等、余り気にすることなく、その作業を行い得るので、該フックバ―５への取付作業が良好になります。これによっても、着脱時の作業性が従来のものに比べ向上されています。
【００２８】
さらに、前記カードケース１においては、前記フックバ―５に取り付けられた状態においても、フックバ―の垂直部６を軸としたフックバー５の離脱方向（開口部１３の上下方向）への回動を許容されています。このため、使用中に前記方向へ表示板部２を回動させるような比較的強い外力が加わった場合にあっては、回動することにより、カードケース１に入力した力を逃すことができます。よって、使用中に破損する確率が従来のものに比べ低いものであります。
【００２９】
さらにまた、前記係合部７と前記ガイド片部８との間に、互に内方に突出する膨出部（図示せず）を設けることで、開口縁部の開口幅をやや狭く設定し、カードケースの取付強度を確保しつつ、ガタツキをも確実に防止し、かつ取付時の作業性が確保できます。
【００３０】
また、図１０及び図４に示すように前記係止部３の下方向に離間した位置に、水平方向に放射状に延びる複数の係止溝１１を設けた台座部９を形成しています。該係止溝１１は、フックバ―の水平部１２が係止されるような高低差のあるなだらかな傾斜面１４によって形成される凹凸状が連続してなる構成になっています。
【００３１】
そして、図５に示すようにフックバ―の水平部１２を係止溝１１の凹部１５に位置させることにより、両側の凸部１６に挟まれるようにして、任意にその姿勢を保持させることができ、表示板部２をフックバ―５の水平部と直交した姿勢に保持することができます。
【００３２】
そして、図６に示すようにフックバ―５に取り付けたカードケース１を左右どちらかの水平方向に回動させると、その方向に形成してある凸部１６を弾性変形により、乗り越えた位置にある凹部１５に位置することができ、その姿勢を任意の選択により、保持することができます。
また、台座部９の係止溝１１にフックバ―の水平部１２が位置し、該垂直部６は係止部３で係止されるので、該カードケース１に対する不意の外力が加わっても脱落することはありません。
【図１】
2016000167.tif 000003
【図２】
2016000167.tif 000004
【図３】
2016000167.tif 000005
【図４】
2016000167.tif 000006
【図５】
2016000167.tif 000007
【図６】
2016000167.tif 000008
【図７】
2016000167.tif 000009
【図８】
2016000167.tif 000010
【図９】
2016000167.tif 000011
【図１０】
2016000167.tif 000012